(57)【要約】【課題】遊技状態に応じて実行される演出に変化を与え、連続性を有する演出効果によって興趣をより向上させることができる構成を備えた遊技機を提供する。【解決手段】本発明の遊技機１００は、外枠１の開口前面に前枠２が形成され、前枠の上部領域に配置されている遊技盤３の盤面に遊技球が流下する遊技領域６を有し、遊技領域での遊技状態に応じて視覚及び／又は聴覚に刺激を与える演出を実行する演出手段を備えている。また、本遊技機１００は、前枠の前方に、遊技盤の前方空間の左右を区画するように突出する一対の仕切り板２７０，２７０が設けられている。この仕切り板は、区画された領域へ向かって演出を実行する拡張演出手段として、放音装置２７１や発光装置２７２、又は表示装置２７３を備えている。さらに、本遊技機１００は、仕切り板に排煙装置２７４が備えられたものとしても良い。【選択図】図２
2008229144.tif 000002
【特許請求の範囲】
【請求項１】
遊技機本体の前面において、
左右端部に、それぞれ突出して設けられた一対の仕切り板と、
前記仕切り板の内側面に設けられ、遊技内容に応じて視覚情報及び／又は聴覚情報を伴う演出を実行する拡張演出手段とを備えていることを特徴とする遊技機。
【請求項２】
前記遊技機本体は、発射装置により投入された遊技球が流下する遊技領域と、
遊技領域の前面側を覆う透明な覆い部材を保持する覆い部材支持枠を有し、
前記仕切り板は、前記覆い部材支持枠に設けられ、
該覆い部材支持枠に対して前記仕切り板を揺動可能とする揺動手段を備えていることを特徴とする請求項１に記載の遊技機。
【請求項３】
前記拡張演出手段は、放音装置、発光装置、表示装置のうち少なくともいずれか１以上で構成されていることを特徴とする請求項１又は２に記載の遊技機。
【請求項４】
前記拡張演出手段が放音装置を備える場合には、該放音装置は、上下方向に少なくとも２以上設けていることを特徴とする請求項３に記載の遊技機。
【請求項５】
前記仕切り板は、周囲の雰囲気を吸引する吸引手段をさらに備えていることを特徴とする請求項１から４のいずれか１項に記載の遊技機。
【発明の詳細な説明】
【技術分野】
【０００１】
本発明は、遊技機に係り、詳しくは、遊技状態に応じて実行される音声の出力やランプの点滅、画像表示といった演出を実行し、遊技者の趣向性を刺激して、快適に遊技がなされるようした遊技機に関するものである。
【背景技術】
【０００２】
周知のように、パチンコ遊技においては、遊技機に装備されている遊技盤面の遊技領域に設けられた各種入賞口に遊技球が入賞すると、その入賞口に設定されている所定数の賞球が払出されるようになっている。 
【０００３】
このような遊技機における遊技を快適に行なわせるようにした手段として、遊技状態に応じて音声の出力やランプの点滅、画像表示といった演出を実行するものがある。たとえば、パチンコ遊技機においては、遊技盤中央に液晶パネルなどを用いた図柄変動表示装置を設けたものがあり、入賞に応じて抽選状態や抽選結果などの図柄を変動表示することができるようになっている。この図柄を表示する表示装置には、その周囲を囲む装飾部材が設けられ、この装飾部材には、演出の内容に応じて点滅するランプや、動くキャラクターが設けられているものもある。また、演出用として図柄変動表示装置の他に、液晶パネルが設けられているものも存在する。さらに、このような遊技機では、音響や音声（以下、単に「音響」という。）によって演出効果を高めるようにしたスピーカが一緒に設けられている（たとえば、特許文献１参照）。
【０００４】
ところが、特許文献１に記載された遊技機では、演出を実行する音響又は発光等が遊技盤面上に限定された平面的で単調なものであり、趣向性や新鮮みにおいて遊技者に物足りなさを感じさせるものであった。
そこで、たとえば音響による演出効果を高めるために、複数の音響信号を混合させて出力しようとすると、混合後の音響信号が飽和状態になってしまい、異常な音響情報が出力される虞がある。また、かかる事態を回避するために音響信号の組合せの適否等を検討するには、極めて煩雑な作業を要するものであった。したがって、演出の多様性にも限界があり、興趣をより向上させることが出来るものではなかった。
【０００５】
また、遊技機における遊技を快適に行なわせるようにした他の手段として、遊技機の両側に、遊技機前方の空間を隣接の遊技機から遮断するための遮断板を配設したものが提案されている（たとえば、特許文献２参照）。
しかしながら、上記特許文献２に記載された遊技機は、遊技状態に応じて実行される演出に変化を与え、興趣をより向上させることが出来るものではない。
また、上記特許文献２に記載された遮蔽板は、外枠の両側（すなわち、遊技機の外側）に設けられるものであることから、遊技盤面における演出実行領域とは間隔が開いてしまうものである。そのため、前記遮蔽板に演出手段を設けたとしても、演出によりもたらされる効果の連続性が前記間隔によって失われてしまうものであった。しかも、前記遮蔽板に演出手段を設ける場合、この演出手段に演出指示（制御）の信号を与える配線を、隣接する遊技機によって閉塞されてしまう前記外枠の側面から引き出さなければならない等、設置や修理が困難なものとなる。
【０００６】
また、前記遮蔽板を外枠の両側に設けるものとすると、隣接する遊技機との間に少なくとも前記遮蔽板の厚みに相当するスペースを必要とする。そのため、遊技機島においてこのスペースが無駄な空間となり、多くの遊技機を効率良く設置した遊技機島を形成することができない。
さらに、外枠の両側に遮蔽板が設けられていると、球詰まりが生じた時など、遊技盤の前面を覆う透視可能な覆い部材を支持する覆い部材支持枠を開閉する際に邪魔になるものであった。なお、遊技機の前扉が開閉できるように、遊技機の外枠との間にスペースを残して前記遮蔽板を配設すると、前述したように、効率良く遊技機島を形成する上で、このスペースが無駄な空間となってしまう。
【０００７】
また、遊技機における遊技を快適に行なわせるようにしたさらに他の手段として、遊技機の側方下部に、喫煙の煙草の煙が隣の遊技客の方へ流れるのを防止するための圧風ファンを配設したものも提案されている（たとえば、特許文献３参照）。
しかしながら、上記特許文献２に記載された遊技機もまた、技状態に応じて実行される演出に変化を与え、興趣をより向上させることが出来るものではない。しかも、上記特許文献３に記載された圧風ファンは、喫煙の煙草の煙が隣の遊技客の方へ流れるのを防止するだけであって、煙自体を除去するものではない。
【０００８】
【特許文献１】特開２００７−７１４８号公報
【特許文献１】特開平８−３８７２７号公報
【特許文献２】特開２００３−２３６０８３号公報
【発明の開示】
【発明が解決しようとする課題】
【０００９】
本発明は、上記事情に鑑みて成されたものであり、遊技状態に応じて実行される演出に変化を与え、連続性を有する演出効果によって興趣をより向上させることができる構成を備えた遊技機を提供することを目的とする。
【課題を解決するための手段】
【００１０】
以上のような問題を解決する本発明は、以下のような構成を有する。
（１）  遊技機本体の前面において、
左右端部に、それぞれ突出して設けられた一対の仕切り板と、
前記仕切り板の内側面に設けられ、遊技内容に応じて視覚情報及び／又は聴覚情報を伴う演出を実行する拡張演出手段とを備えていることを特徴とする遊技機。
【００１１】
（２）  前記遊技機本体は、発射装置により投入された遊技球が流下する遊技領域と、
遊技領域の前面側を覆う透明な覆い部材を保持する覆い部材支持枠を有し、
前記仕切り板は、前記覆い部材支持枠に設けられ、
該覆い部材支持枠に対して前記仕切り板を揺動可能とする揺動手段を備えていることを特徴とする上記（１）に記載の遊技機。
【００１２】
（３）  前記拡張演出手段は、放音装置、発光装置、表示装置のうち少なくともいずれか１以上で構成されていることを特徴とする上記（１）又は（２）に記載の遊技機。
【００１３】
（４）  前記拡張演出手段が放音装置を備える場合には、該放音装置は、上下方向に少なくとも２以上設けていることを特徴とする上記（３）に記載の遊技機。
【００１４】
（５）前記仕切り板は、周囲の雰囲気を吸引する吸引手段をさらに備えている上記（１）〜（４）のいずれか１に記載の遊技機。
【発明の効果】
【００１５】
請求項１に記載の発明によれば、遊技機の左右端部に突出して設けられた仕切り板に、視覚情報又は聴覚情報を伴う演出を実行する拡張演出手段を備えたものとした。これにより、遊技機が遊技者対して表現できる演出領域を拡大することができる。また、隣接する遊技機の遊技者から遊技状況を覗かれるといった懸念も減少し、遊技に集中することができる。また、聴覚情報に関しては、音源が遊技者に近くなるので、遊技機からの演出音を聞き取りやすくなり、他の遊技機の演出音で、自己の遊技機の演出音が掻き消されるといった不都合が抑制される。
【００１６】
請求項２に記載の発明によれば、弾球遊技機の覆い部材支持枠に仕切り板が取り付けられている場合には、仕切り板を揺動手段により支持することで、仕切り板の角度を適宜変更することができ、仕切り板を内側に畳んで、輸送の際の占有容積を減らすことができる。また、球詰まりなどにより覆い部材支持枠を開放する場合などでは、隣の遊技者の遊技の妨げとならないよう、仕切り板の姿勢を調整することができる。
【００１７】
また、請求項３に記載の発明によれば、放音装置が遊技者に近づいたものとなり、より演出音、指示音声が聞こえ易いものとなると共に、多様な音色による演出が可能となる。また、遊技機の左右端に発光装置を設けることで、より奥行きのある演出が可能となり、前後方向に変化のある演出を加えることができる。さらに、表示装置も遊技者に近い位置に設けることで、細かい画像を表示することが可能となり、文字情報による詳細な情報表示が可能となる。
【００１８】
また、請求項４に記載の発明によれば、上下方向に設けた放音装置により、上下方向の音源の移動が表現でき、サラウンド効果等よりリアリティのある、迫力ある多彩な演出ができる。
【００１９】
また、請求項５に記載の発明によれば、遊技者の煙草の煙は、仕切り板によって、隣の遊技者へ流れていくことが抑制される。さらに、仕切り板の間に滞留した煙は、風圧で追いやるのではなく、周囲の雰囲気射とともに直ちに吸引するものであるので、喫煙している遊技者は勿論のこと、隣の遊戯者への煙害を抑制することができ、より快適に遊技を行なうことができる。しかも、排煙するための空気の流れにより、内部電子機器を冷却することができるので、遊技機の寿命を延ばすことが可能となる。
【発明を実施するための最良の形態】
【００２０】
以下、本発明に係る遊技機の実施例を図面に基づいて詳細に説明する。
また、本明細書において、遊技機の遊技者が配置（座位）される側を正面、前面、前側又は前方として表現し、遊技者の配置位置に対して反対側を背面、後面、後側又は後方とする。また、図１に示されているような正面視において、前後方向をＸ軸方向、左右方向をＹ軸方向、鉛直方向をＺ軸と定義し、前側から後側へ向かう方向をＸ軸方向の正方向、右方向をＹ軸方向の正方向、鉛直下方へ向かう方向をＺ軸の正方向と定義する。
【００２１】
図１は、本実施形態における遊技機を示す正面図であり、図２は、その斜視図である。
図１においてパチンコ遊技機１００は、外郭方形枠サイズに形成されて縦長の固定保持枠を構成する外枠１を有する。また、この外枠１の開口前面に、外枠１に合わせて方形枠サイズに形成されて装着された前枠２を備えている。
前枠２は、外枠１の正面左側上下に取り付けられたヒンジ金具３Ａ、３Ｂにより外枠１に対して開閉可能に取り付けられ、さらに、外枠１の正面右側に設けられた施錠装置１２によって閉鎖状態に保持されるようになっている。
【００２２】
前枠２の上部領域には、遊技盤３が配置されている。この遊技盤３は、所定板厚の積層合板の裏側にセルを貼り付けてルータ（役物取り付け孔）加工した化粧板を基板とし、その前面側には図示しないが、環状に取り付けられたガイドレールに囲まれて画成された円形状の遊技領域６が設けられている。
遊技領域６には、略中央部に表示装置として図柄変動表示装置６ｊが設置される窓部で構成された表示部６ａが設けられている。表示部６ａの周りには、装飾部材６Ｂや始動入賞口６ｃ、および特別入賞口６ｄ、その他入賞口６ｋなどがそれぞれ配置されている。遊技領域下部には、アウト球を回収するアウト口６ｅが設けられており、始動入賞口６ｃや特別入賞口６ｄに入賞せずに落下した遊技球（所謂アウト球）を、遊技盤３の背面側から機外に排出できるようになっている。
【００２３】
また、前枠２の前面上部側には、遊技盤３を視認できるように透視可能な覆い部材７０２を備えた覆い部材支持枠７０が、水平方向に開閉可能かつ着脱可能に設けられている。この覆い部材７０２は、たとえばガラスよりなり、覆い部材支持枠７０は、通常、施錠装置１２により閉鎖状態に保持されて遊技盤３の前面を覆っている。
前枠２の前面下部側で、覆い部材支持枠７０の下方には、皿ユニット７０１が、前枠２に開閉支持されている背面板（図示しない）に取り付けられて設けてある。皿ユニット７０１は、図示しない施錠装置により通常、閉鎖状態に保持されている。皿ユニット７０１は、球受け皿を構成している球貯留部７０１ａと、球貯留部７０１ａの正面左側下部に設けられた灰皿７０１ｂと、球貯留部７０１ａの正面右側下部に設けられた発射ハンドル７０１ｃと、操作装置としてのボタン７０１ｄとを有している。
【００２４】
また、本発明に係る遊技機１００は、前記前枠２の前側において、遊技領域６を挟むように、その左右両側に、換言すると覆い部材支持枠７０の左右端部に、前側に突出する一対の仕切り板２７０，２７０が設けられている。仕切り板２７０、２７０は、遊技領域６の上下方向の長さに対応して上下方向に十分な長さを有し、隣の遊技者から遊技領域が視認できない程度の十分な幅を有している。各仕切り板２７０、２７０は、前記遊技領域６での遊技状態に応じて視覚情報及び／又は聴覚情報を伴って演出を実行する拡張演出手段を、遊技領域側の面に備えている。この演出手段は、放音装置、発光装置、表示装置のうち少なくともいずれか１以上で構成されるものである。図２において、演出手段は、放音装置２７１と発光装置２７２から構成されたものとなっている。
【００２５】
また、図３において、仕切り板２７０は、仕切り板本体２７０ａと演出パネル２７０ｂから構成されている。仕切り板本体２７０ａは、演出手段を収容する凹状に窪んだ凹状空間２７０ｃを有し、この凹状空間２７０ｃを覆うように演出パネル２７０ｂで蓋をする。
図３に示すように、前記凹状空間２７０ｃ内には、放音装置２７１としてのスピーカ２７１ａが収容されている。このスピーカ２７１ａで、抑揚をつけた音声等多彩な効果音を放音して演出効果を高めることができる。図３において、スピーカ２７１ａは上下方向に２つ設けられている。これにより、上下方向の音源の移動を表現するサラウンド効果を得ることができる。
【００２６】
また、図３において、前記凹状空間２７０ｃ内には、前記スピーカ２７１ａと共に、発光装置２７２としての発光基板２７２ａ及び光源パネル２７２ｂが収容されている。発光基板２７２ａは、入力される光源制御信号に応じて光源の発光又は点滅を制御する。一方、光源パネル２７２ｂは、基板上に縦横に配列された複数の光源からなり、その配列によって効果的な発光を行なう。光源としては、たとえば発光素子として発光ダイオード（ＬＥＤ）や有機ＥＬ（エレクトロ・ルミネッセンス）を挙げることが出来る。この光源により、遊技状態に対応した発光（点灯や点滅）又は消灯による各種演出がなされる。また、発光は、たとえば赤、青、緑といった色をそれぞれ単色で表示するものの他、これら色を合わせてカラー表示するものであっても良い。さらに、単なる発光ではなく、図柄を表示するものであっても良い。
【００２７】
一方、演出パネル２７０ｂは、前記スピーカ２７１ａと整合する位置に放音口カバー２７１ｃ及び、前記光源パネル２７２ｂと整合する位置に発光部カバー２７２ｃが設けられている。したがって、前記スピーカ２７１ａより発された音声は放音口カバー２７１を通して放音され、前記光源パネル２７２ｂより発された光は発光部カバー２７２ｃを通して発光するものとなる。
このような音声や発光又は表示による演出は、たとえば、大当たりの時や、大当たりやリーチ前の予告時に、遊技者の趣向性を刺激する手段として行なわれる。
【００２８】
本発明では、図示しないが、仕切り板２７０は、演出手段として表示装置を更に備えるものとしても良いし、発光装置２７２に換えて表示装置を備えるもの、又は発光装置２７２を除いて放音装置２７１だけ備えるもの、等任意に構成しても良い。表示装置としては、たとえばＬＣＤ（液晶ディスプレイ）、ＰＤＰ（プラズマ・ディスプレイ・パネル）を挙げることが出来る。この表示装置に、遊技状態に対応した演出画像が表示される。また、表示装置は、前記発光装置における光源として用いられる発光素子の集合体によって、文字情報や図形情報等を表示することが可能な表示装置であっても良い。
【００２９】
仕切り板２７０は、それのみで十分に、喫煙する遊技者の煙を隣の遊技者へ及ぼさない作用を有するが、さらに吸煙するための吸引手段である排煙装置２７４を有している。演出パネル２７０ｂには、吸煙口２７４ｃが設けられている。吸引手段は、たとえば図４に示される構成とすることができる。
図４は、図３に示す符号Ａ部分を示す拡大図である。図４において、排煙手段は、吸引ファン２７４ａと排出口２７４ｂとから構成されている。吸引ファン２７４ａは、仕切り板２７０の空間２７０ｃ内の空気を吸引し、前記空間２７０ｃ内を減圧状態とする吸引源である。排出口２７４ｂは、前記吸引ファン２７４ａによって、前記凹状空間２７０ｃ内の空気と共に煙草の煙を、図４に示す矢印のように前記凹状空間２７０ｃ内から外部へ排出するための通路２７４ｄを備えている。
【００３０】
したがって、吸引ファン２７４ａの吸引力によって吸煙口２７４ｃは吸引可能な状態となり、前記吸煙口２７４ｃを介して空間２７０ｃ内に吸引された煙草の煙は、排出口２７４ｂと通路２７４ｄを通って外部（たとえば、遊技盤の背面側、あるいは遊技機の上方）へ排出されることとなる。吸引ファン２７４ａは、遊技機１００の本体側に設けられ、通路２７４ｄを介して、空間２７０ｃが連通している。通路２７４ｄは、可撓性を有する導風管で構成され、一端の開口は排出口２７４ｂに、他端の開口は本体の開口２７４ｅに接続され、該本体側開口２７４ｅには、吸引ファン２７４ａの吸引口が接続されている。
【００３１】
通路２７４ｄは、例えば、図示されているように、蛇腹形状を備えている。このような構成されることにより、通路２７４ｄは、仕切り板２７０の揺動に応じて、導風路を維持しつつ自在に湾曲し、仕切り板２７０の揺動位置にかかわらず、空間２７０ｃと吸引ファン２７４ａとを接続している。吸煙口２７４ｃは、仕切り板２７０の先端辺近傍に設けられており、遊技者に近い位置にあるため、喫煙した遊技者の煙を、直ちに吸引することが可能となる。
【００３２】
また、前記仕切り板２７０は、前記遊技盤３に直接取り付けられたものとしても良いし、前記覆い部材支持枠７０に取り付けられたものとしても良い。図１において、左右の仕切り板２７０、２７０は、覆い部材支持枠７０の左右端部に支持されている。
前記仕切り板２７０は、前記覆い部材支持枠７０に対して揺動可能とする揺動手段を備えたものとするのが望ましい。この揺動手段は、たとえば図４に示すことができる。
【００３３】
図４において、揺動手段は、揺動軸２７５ａと、揺動調整ギア２７５ｂと、係止ボール２７５ｃと、押圧バネ２７５ｄとから構成されている。揺動軸２７５ａは、前記仕切り板２７０が揺動する向きを制御する。揺動調整ギア２７５ｂは、表面に複数の凹溝と突起部を有し、前記仕切り板２７０が揺動する角度を多段的に制御する。係止ボール２７５ｃは、前記仕切り板２７０の揺動位置を決定する。そして、押圧バネ２７５ｄは、前記仕切り板２７０の揺動状態を維持する。したがって、仕切り板２７０を揺動すると、揺動軸２７５ａに沿って回動し、この回動に伴って揺動調整ギア２７５ｂも回動する。この揺動調整ギア２７５ｂが回動すると、係止ボール２７５ｃが前記揺動調整ギア２７５ｂの突起部を乗り越えようとして、前記揺動調整ギア２７５ｂの凹溝に向かって係止ボール２７５ｃを付勢している押圧バネ２７５ｄが収縮する。そして、前記係止ボール２７５ｃが前記揺動調整ギア２７５ｂの突起部を乗り越えると、前記押圧バネ２７５ｄ元の長さに伸張し、前記係止ボール２７５ｃを前記揺動調整ギア２７５ｂの凹溝に向かって付勢し、再び前記仕切り板２７０の揺動状態を維持する。これによって、前記仕切り板２７０は、多段的に揺動可能なものとなる。
【００３４】
このように仕切り板２７０を揺動可能に支持することにより、前枠２や覆い部材支持枠７０を開放した際、その開放操作時に内側に揺動させることができ、開放操作作業の障害とならないようにできる。また、覆い部材支持枠７０は、球詰まり時など、遊技中に開放されることが多い。しかし、遊技中に覆い部材支持枠７０を開くと、左側の仕切り板２７０も覆い部材支持枠７０と共に左側へ揺動し、左隣の遊技者の遊技を邪魔する恐れがある。この場合、あらかじめヒンジ側の仕切り板２７０を内側に揺動させた後、覆い部材支持枠７０を開くことで、隣の遊技者の遊技を妨げることを防止できる。
【００３５】
球詰まりの時など頻繁に覆い部材支持枠７０が開閉されることとなる右側が、遊技盤３に直接取り付けられ、前記覆い部材支持枠７０のヒンジがある左側が、覆い部材支持枠７０に取り付けられたものとすることができる。
このように、覆い部材支持枠７０の開放端側の仕切り板２７０を遊技盤３（又は前枠２や外枠１）に直接取り付けることで、覆い部材支持枠７０のヒンジ部に、過度に荷重が加わることを防止でき、遊技機の故障を未然に防止できる。
なお、仕切り板２７０は、左右両側とも前枠２に取り付けられたものとしても良い。
【００３６】
次に、本遊技機における遊技制御を行う遊技制御手段について説明する。
図５は、本発明に係る遊技機の遊技制御の構成を示すブロック図である。
遊技制御手段２００は、遊技の進行や演出等を含む弾球遊技機１００全体を統括制御する手段である。図５において、遊技制御手段２００は、演算等を行うＣＰＵと、遊技の進行等に必要なプログラムや演出用のデータ等を記憶しておくＲＯＭと、ＣＰＵが各種の制御を行うときに、取り込んだデータ等を一時的に記憶しておくＲＡＭ等とを備える。遊技制御手段２００は、遊技盤３の背面側に設けられた制御基板上に設けられている。ここで、遊技制御手段２００は、１つの制御基板上に限らず、複数の制御基板上にわたって設けられていても良い。遊技制御手段２００は、本実施形態では、以下の各手段を備える。
【００３７】
（入賞球検出手段）
入賞球検出手段２１は、入賞口６ｋ、始動入賞口６ｃ及び特別入賞口６ｄに遊技球が入賞したときに、その入賞を検出するものである。これらの入賞口６ｋ、始動入賞口６ｃ及び特別入賞口６ｄには、それぞれ入賞口センサ５ｓ、始動入賞口センサ６ｃｓ及び特別入賞口センサ６ｄｓが設けられ、それぞれ入賞球検出手段２１に電気的に接続されている。
【００３８】
（抽選手段）
抽選手段２２は、入賞球検出手段２１により、始動入賞口６ｃへの遊技球の入賞が検出されたことを条件として、可変表示手段である図柄変動表示装置６ｊに表示する停止図柄に関する抽選を行うものである。本実施形態では、第１に、当選／非当選の有無、第２に、図柄変動表示装置６ｊの図柄の変動表示後の停止図柄、及び第３に、図柄の変動表示中の変動パターンの抽選を行う。抽選手段２２は、これらの第１〜第３の抽選を行うべく、当たり抽選手段２２ａと、停止図柄抽選手段２２ｂと、変動パターン抽選手段２２ｃとを備える。
【００３９】
（当たり抽選手段）
当たり抽選手段２２ａは、本実施形態では、当たり判定用乱数発生手段と、当たり判定用乱数取得手段と、当たり判定手段とを備える。
当たり判定用乱数発生手段は、制御プログラム等によって所定の周期（例えば、１６ビット乱数による０〜６５５３５の周期）を有する当たり判定用乱数を発生させる。
当たり判定用乱数取得手段は、当たり判定用乱数発生手段によって発生した当たり判定用乱数のうち１の当たり判定用乱数を、所定の時、本実施形態では始動入賞口センサ６ｃｓから送信された検出信号を入賞球検出手段２１が受信した時に取得する。
当たり判定手段は、当たり判定用乱数取得手段により取得された当たり判定用乱数に基づいて、当選であるか非当選であるかを判定する。
そして、当選と判定された場合には、後述する演出効果制御手段２７にコマンドを送る。
【００４０】
（停止図柄抽選手段）
停止図柄抽選手段２２ｂは、当たり抽選手段２２ａの当たり判定手段の判定結果に基づいていて、図柄変動表示装置６ｊに停止表示すべき停止図柄を抽選するものである。
【００４１】
（変動パターン抽選手段）
変動パターン抽選手段２２ｃは、図柄変動表示装置６ｊに表示すべき図柄の変動パターンを抽選するものである。本実施形態では、当たり抽選手段２２ａの当たり判定手段での判定結果に基づいて、複数種類の図柄の変動パターンを記憶したデータテーブルを参照して、いずれか１つの変動パターンを選択する。
【００４２】
（図柄表示制御手段）
図柄表示制御手段２３は、始動入賞口６ｃへの遊技球の入賞により、入賞球検出手段２１が検出信号を受信したことを条件として、図柄変動表示装置６ｊの図柄の変動表示及び停止表示を行うように制御するものである。
【００４３】
（特別遊技制御手段）
特別遊技制御手段２４は、当たり抽選手段２２ａの当たり判定用乱数取得手段により取得された当たり判定用乱数が、当選図柄変動表示装置６ｊにより停止表示された図柄が当選図柄（例えば「７７７」）となった場合に、特別遊技に移行させ、その終了条件を満たすまで特別遊技を実行するものである。ここで「特別遊技」とは、通常遊技以上に遊技球が入賞しやすい状態が作り出され、具体的には、特別入賞口６ｄが開放され、遊技球を受け入れ易い状態になることで、それまで以上に賞球の獲得が期待できる遊技である。
【００４４】
（球搬出制御手段）
球搬出制御手段２５は、賞球の払出し等を行うための球搬出装置２５ｄの駆動を制御するものである。上述したように、始動入賞口センサ６ｃｓ及び特別入賞口センサ６ｄｓからの検出信号を入賞球検出手段２１が受信したときに、その入賞に対応する数の賞球を払い出すように、球搬出装置２５ｄを制御する。球搬出装置２５ｄは、駆動されると、球を弾球遊技機１の皿７０１ａに払い出す。
【００４５】
（普通図柄制御手段）
普通図柄制御手段２６は、上述した普通図柄変動表示装置２６４ｄの変動表示及び停止表示を制御するためのものであり、以下の各手段を備える。
【００４６】
（入球検出手段）
入球検出手段２６２は、有効となっている普通図柄始動口６ｉを遊技球が通過したときに、それを検出するものである。遊技球が普通図柄始動口６ｉを遊技球が通過すると、普通図柄始動口センサ６ｉｓから、そのときの検出信号が入球検出手段２６２に送信される。入球検出手段２６２は、この検出信号を受信したときに、普通図柄始動口６ｉを遊技球が通過したことを検出する。
【００４７】
（普通図柄抽選手段）
普通図柄抽選手段２６３は、有効となっている普通図柄始動口６ｉを遊技球が通過したことを条件として、普通図柄変動表示装置２６４ｄに停止表示すべき図柄を抽選によって決定するものである。普通図柄抽選手段２６３は、上述した当たり抽選手段２２ａと同様に、当たり判定用乱数発生手段と当たり判定用乱数値取得手段と、当たり判定手段とを備える。
【００４８】
（普通図柄変動制御手段）
普通図柄変動制御手段２６４は、普通図柄変動口６ｉを遊技球が通過したときに、普通図柄抽選手段２６３の抽選結果に基づいて、普通図柄変動表示装置２６４ｄの図柄の変動表示及び停止表示を行うように制御するものである。普通図柄変動制御手段２６４は、普通図柄変動表示装置２６４ｄの図柄を所定時間変化させた後、最終的には普通図柄抽選手段２６３によって決定された図柄を普通図柄変動表示装置２６４ｄに停止表示させる。
【００４９】
（球誘導装置制御手段）
球誘導装置制御手段２６５は、普通図柄抽選手段２６３の抽選結果に基づいて、球誘導装置２６５ｄの作動を制御するものである。具体的には、普通図柄抽選手段２６３による抽選で当選したときは、球誘導装置２６５ｄを作動させるように制御する。これと逆に、普通図柄抽選手段２６３による抽選で非当選であったときは、球誘導装置２６５を作動させない。
【００５０】
（演出効果制御手段）
演出効果制御手段２７は、図柄変動表示装置６ｊに表示される演出画像を制御する。演出効果制御手段２７は、当たり抽選手段２２ａにより、当選の旨のコマンドを受け取った場合には、図柄変動表示装置６ｊに表示される演出画像を選択し、これを表示する。
また、演出効果制御手段２７は、仕切り板２７０に備えられた放音装置２７１と、発光装置２７２と、表示装置２７３とを制御する。放音装置２７１、発光装置２７２、表示装置２７３は、当たり抽選手段２２ａからの当選の旨のコマンドを演出効果制御手段２７が受け取ることによって、当該演出効果制御手段２７によって選択された音声、発光、表示をおこなう。
【００５１】
また、演出効果制御手段２７は、各種入賞部の入球口に遊技球が入球することによって、入球に起因する演出効果等遊技の制御内容を行なうようにしても良い。このように各種入賞部への入球によってそれぞれ音声や発光、表示といった演出が成されると、遊技者の遊技への興趣性を高めることができる。
【００５２】
（排煙手段）
排煙手段は、遊技の開始に伴って動作するものである。具体的には、遊技者が発射ハンドル７０１ｃを操作すると、ハンドルに設けられたタッチセンサの出力により、遊技者が存在するものと判断し、排煙装置２７４における排煙ファン２７４ａが動作させる。これにより、一対の仕切り板２７０，２７０により形成された遊技盤の前方空間に滞留する煙の排煙が制御される。
特に、本発明の仕切り板２７０では、遊技者に近い位置に吸煙口２７４ｃが設けられているので、喫煙する遊技者の排煙を効率よく吸引することができる。また、喫煙しない遊技者にとっては、より身体に近い雰囲気が喚起されるので、より快適な遊技を行うことができる。このような排煙作用とともに、空間２７０ｃ内にこもった熱も排出することができる。
【００５３】
この他、リーチ演出が継続している場合には、ハンドルのタッチセンサの検出の有無にかかわらず、排煙手段を作動させていてもよい。
また、排煙手段は、遊技機１００自体に電源が供給されたときに排煙ファン２７４ａも動作するようにし、遊技者が発射ハンドル７０１ｃを操作しなくとも常に前記空間における排煙を制御するようにしても良い。そして、この場合における排煙ファン２７４ａは、遊技機１００ごとに設けずに、遊技機島ごとに一つもしくは数個設けるようにしても良い。
【００５４】
このように本発明によれば、遊技盤の前方空間の左右を区画するように突出する一対の仕切り板を前枠の前方に設け、この仕切り板に、前記区画された領域へ向かって前記演出を実行する拡張演出手段を備えたものとしたことにより、遊技機の限られた面積を有効に利用して、遊技状態に応じて実行される演出に変化を与え、演出効果を向上させることが可能となる。
なお、上記は弾球遊技機の場合を例に挙げて説明したが、仕切り板を設ける遊技機としては、スロットマシンであってもよい。
【図面の簡単な説明】
【００５５】
【図１】本発明に係る弾球遊技機の正面図である。
【図２】本発明に係る弾球遊技機の斜視図である。
【図３】図１に示す仕切り板の構造の一例を示す分解図である。
【図４】図３に示す符号Ａ部分を示す拡大図である。
【図５】本発明に係る弾球遊技機の遊技制御手段の構成を概略的に説明するブロック図である。
【符号の説明】
【００５６】
１  外枠
２  前枠
３  遊技盤
３Ａ、３Ｂ  ヒンジ金具
６  遊技領域
６ａ  表示部
６ｃ  始動入賞口
６ｄ  特別入賞口
１２  施錠装置
７０  覆い部材支持枠
１００  弾球遊技機
２７０  仕切り板
２７０ａ  仕切り板本体
２７０ｂ  演出パネル
２７０ｃ  凹状空間
２７１  放音装置
２７１ａ  スピーカ
２７１ｂ  放音口カバー
２７２  発光装置
２７２ａ  発光基板
２７２ｂ  光源パネル
２７２ｃ  発光部カバー
２７３  表示装置
２７４  排煙装置
２７４ａ  吸煙ファン
２７４ｂ  排煙口
２７４ｃ  吸煙口
２７５ａ揺動軸
２７５ｂ  揺動調整ギア
２７５ｃ  係止ボール
２７５ｄ  押圧バネ
７０１  皿ユニット
７０１ａ  球貯留部
７０１ｂ  灰皿
７０１ｃ  発射ハンドル
【図１】
2008229144.tif 000003
【図２】
2008229144.tif 000004
【図３】
2008229144.tif 000005
【図４】
2008229144.tif 000006
【図５】
2008229144.tif 000007